(57)【要約】【課題】大人用の椅子に容易に着脱することができ、子供の上半身（例えば、頭部、腕、手等）の位置が低くなりすぎることなく大人用の椅子に子供を着席させることができる子供用着席補助具を提供する。【解決手段】第１の座面を有する大人用の椅子に取り付けられる子供用着席補助具であって、該第１の座面に載置され、所定の高さよりも高い位置に第２の座面を有する座面形成部と、該座面形成部を該大人用の椅子に対して着脱自在に固定する固定手段と、を備えてなる、子供用着席補助具である。前記第２の座面に腰掛けた子供が右方向又は左方向の少なくとも一方向に所定量以上移動することを該子供に当接して防止する側方移動制限手段を、さらに備えてなるものであってもよい。前記座面形成部の前記第１の座面に接する少なくとも一部に、滑り止めが設けられているものであってもよい。【選択図】  図１
2004306719.tif 000002
【特許請求の範囲】
【請求項１】
第１の座面を有する大人用の椅子に取り付けられる子供用着席補助具であって、
該第１の座面に載置され、所定の高さよりも高い位置に第２の座面を有する座面形成部と、
該座面形成部を該大人用の椅子に対して着脱自在に固定する固定手段と、
を備えてなる、子供用着席補助具。
【請求項２】
前記第２の座面に腰掛けた子供が右方向又は左方向の少なくとも一方向に所定量以上移動することを該子供に当接して防止する側方移動制限手段を、さらに備えてなる、請求項１に記載の子供用着席補助具。
【請求項３】
前記座面形成部の前記第１の座面に接する少なくとも一部に、滑り止めが設けられているものである、請求項１又は２に記載の子供用着席補助具。
【請求項４】
前記座面形成部が前記第１の座面に載置された際、前記座面形成部が、右方向又は左方向の少なくとも一方向に張り出し前記第１の座面に接する張り出し部分を有するものである、請求項１乃至３のいずれかに記載の子供用着席補助具。
【請求項５】
前記大人用の椅子が第１の背もたれを有しており、
前記固定手段が該第１の背もたれに周回されることで、前記座面形成部を該第１の背もたれに対して固定するものである、請求項１乃至４のいずれかに記載の子供用着席補助具。
【請求項６】
前記座面形成部に対して固定される第２の背もたれを、さらに備えてなる、請求項１乃至５のいずれかに記載の子供用着席補助具。
【請求項７】
前記固定手段が、前記第２の背もたれに取り付けられるものである、請求項６に記載の子供用着席補助具。
【請求項８】
前記第２の座面に腰掛けた子供が、前記第２の座面から前方に脱落しないように前記座面形成部に対して該子供を固定する前方固定手段を、さらに備えてなる、請求項１乃至７のいずれかに記載の子供用着席補助具。
【請求項９】
前記前方固定手段が、前記第２の座面に腰掛けた子供の腹部又は胸部に当接するものである、請求項８に記載の子供用着席補助具。
【発明の詳細な説明】
【０００１】
【発明の属する技術分野】
本発明は、子供用着席補助具に関し、より詳細には、大人用の椅子に取り付けられ子供の着席を助ける子供用着席補助具に関する。
【０００２】
【従来の技術】
子供は身体が小さいことから、子供が大人用の椅子に腰掛けると、大人に比して上半身（例えば、頭部、腕、手等）の位置が低くなりすぎるという問題があった。例えば、食事用のテーブルと該テーブルに配置された椅子とを用いて食事する際、通常、該椅子に大人が腰掛けたときうまく食事できるような高さになるように該テーブルはつくられているので、該椅子（大人用の椅子）に腰掛けた子供の上半身（例えば、頭部、腕、手等）は該テーブルの高さに比して低くなりすぎうまく食事することができない。
このため子供の身体にあわせた子供用の椅子（例えば、大人用の椅子に比して座面が高く、腰掛ける部分が小さくつくられている椅子）が用いられている（例えば、特許文献１参照。）。
そして、レストランや食堂においては、子供を安定して着席させ食事を容易ならしめるために、子供用の椅子が用意されており、客がこれを適宜用いることが行われてきた。
【０００３】
【特許文献１】
特開２０００−１３５１４８（図１）
【０００４】
【発明が解決しようとする課題】
しかしながら、子供用の椅子は、子供が着席する際に必要になるものであり、子供が着席しない場合には不要である。特に、前述のレストランや食堂においては、子供の着席の必要がない場合には、子供用の椅子ではなく、多くの顧客に合致する大人用の椅子を配置することが好ましいことから、子供の着席の要否に応じて子供用の椅子を移動して配置したり除くこと（テーブルの近傍に配置したり、テーブルの近傍に配置された椅子を、使用しない際の置き場所へ持っていって片づけること）が行われてきた。また、この際には、大人用の椅子も移動させる必要があり、子供用の椅子を用いることは、椅子を移動させる手間が多くかかり不便なことが多かった。
また、子供用の椅子は、子供がある程度動いても十分な安定性を確保するため大きくつくられることが多いことから、使用しないときには場所をとり邪魔であるという問題もあった。
さらに、子供用の椅子は、大人用の椅子と異なる形状を有するため、両椅子が混在するとその場の雰囲気がこわれることもあった。
【０００５】
そこで、本発明では、大人用の椅子に容易に着脱することができ、子供の上半身（例えば、頭部、腕、手等）の位置が低くなりすぎることなく大人用の椅子に子供を着席させることができる子供用着席補助具を提供することを目的とする。
即ち、かかる子供用着席補助具を大人用の椅子に取り付けることで問題なく子供を大人用の椅子に着席させることができ、この子供用着席補助具を用いることで別個の子供用の椅子を用いる必要がない。
【０００６】
【課題を解決するための手段】
本発明の子供用着席補助具（以下、「本補助具」という。）は、第１の座面を有する大人用の椅子に取り付けられる子供用着席補助具であって、該第１の座面に載置され、所定の高さよりも高い位置に第２の座面を有する座面形成部と、該座面形成部を該大人用の椅子に対して着脱自在に固定する固定手段と、を備えてなる、子供用着席補助具である。
【０００７】
ここに「所定の高さよりも高い位置」とは、少なくとも第１の座面よりも高い位置をいい、通常、本補助具を用いる想定される子供が、本補助具を用いて大人用の椅子に着席した際に該子供の上半身（例えば、頭部、腕、手等）が所望の高さになるように定められる。例えば、テーブルの近傍に大人用の椅子が配置される場合であれば、本補助具を用いる想定される子供が、本補助具を用いて大人用の椅子に着席した際に、好ましくは、該子供の頭部の下端（即ち、顎の下端）が該テーブルの上面よりも上になるように「所定の高さよりも高い位置」が定められ、より好ましくは、該子供の肩が該テーブルの上面よりも上になるように「所定の高さよりも高い位置」が定められる（なお、「所定の高さよりも高い位置」の上限は特にないが、子供の上半身（例えば、頭部、腕、手等）が該テーブルの上面よりもあまり高くなると不便であるので、通常、本補助具を用いて大人用の椅子に着席した子供が、該テーブルの上面に手で触れることができる範囲とされる。）。また、一例としては、「所定の高さよりも高い位置」は、第１の座面よりも、通常、４ｃｍ以上とされ、好ましくは５ｃｍ以上とされ、より好ましくは６ｃｍ以上とされ、最も好ましくは７ｃｍ以上とされ、１３ｃｍ以下とされ、好ましくは１２ｃｍ以下とされ、より好ましくは１１ｃｍ以下とされ、最も好ましくは１０ｃｍ以下とされる（即ち、最も好ましい範囲は、７〜１０ｃｍである。）。
【０００８】
このような本補助具を用いることで、座面形成部を大人用の椅子が有する第１の座面に載置し、固定手段によって座面形成部を大人用の椅子に対して着脱自在に固定する（なお、固定手段は、座面形成部を大人用の椅子に対して直接固定しても、また間接に固定してもいずれであってもよい。）。こうすることで座面形成部が有する第２の座面は、所定の高さよりも高い位置に安定して保持されるので（固定手段によって座面形成部が固定される。）、子供が第２の座面に座ることで、子供の上半身（例えば、頭部、腕、手等）の位置が低くなりすぎることなく大人用の椅子に子供を着席させることができる。そして、固定手段は、座面形成部を大人用の椅子に対して着脱自在に固定するので、本補助具を、大人用の椅子に容易に着脱することができる。
即ち、本補助具を大人用の椅子に取り付けることで、問題なく子供を大人用の椅子に着席させることができるので、子供用の椅子を用いる必要がない。
【０００９】
前記第２の座面に腰掛けた子供が右方向又は左方向の少なくとも一方向に所定量以上移動することを該子供に当接して防止する側方移動制限手段を、さらに備えてなるものであってもよい。
こうすることで側方移動制限手段が、子供が該一方向に所定量以上移動することを子供に当接して防止するので、子供が該一方向にずれて第２の座面から脱落したり脱落しそうになることを有効に防止することができる。
なお、ここにいう「右方向」と「左方向」とは、それぞれ第２の座面に腰掛けた子供から見て「右方向」と「左方向」をいう。
【００１０】
前記座面形成部の前記第１の座面に接する少なくとも一部に、滑り止めが設けられているものであってもよい。
こうすることで滑り止めが、大人用の椅子が有する第１の座面に対する座面形成部の不意の移動（滑り）を防止するので、大人用の椅子に対して本補助具が安定に固定され、本補助具の使用をさらに安全ならしめる。
なお、ここにいう「滑り止め」とは、それが設けられていない場合に比して座面形成部が前記第１の座面に沿って滑りにくくなるものであればいかなるものであってもよく何ら限定されるものではないが、ゴム材料によって形成されたシート又はブロックや、第１の座面に接する部分に凹凸が設けられたシート又はブロック等を一例として挙げることができる。
【００１１】
前記座面形成部が前記第１の座面に載置された際、前記座面形成部が、右方向又は左方向の少なくとも一方向に張り出し前記第１の座面に接する張り出し部分を有するものであってもよい。
こうすることで張り出し部分が、右方向又は左方向の少なくとも一方向に張り出し、前記第１の座面に接することから、該一方向へ本補助具が傾いたり倒れることを防止又は減少させることができ、着席した際にも身体を動かすことが多い子供であっても本補助具を安全に使用することができる。
なお、ここにいう「右方向」と「左方向」とは、前述の通り、それぞれ第２の座面に腰掛けた子供から見て「右方向」と「左方向」をいう。
【００１２】
前記大人用の椅子が第１の背もたれを有しており、前記固定手段が該第１の背もたれに周回されることで、前記座面形成部を該第１の背もたれに対して固定するものであってもよい。
大人用の椅子が有する第１の背もたれは、通常、上下方向に向かってのびるように形成されるので、かかる第１の背もたれに周回されることで固定手段が座面形成部を第１の背もたれに対して固定することで、座面形成部が第１の座面から不意にずれることを確実に防止することができる（特に、座面形成部が第１の背もたれから遠ざかる方向へずれることを効果的に防止できる。）。また、固定手段が該第１の背もたれに周回されるようにするので、大人用の椅子に何らの変更や改造をする必要がなく、本補助具を大人用の椅子に取り付けることができる。
なお、固定手段は、第１の背もたれに周回されることで座面形成部を第１の背もたれに対して固定することができるものであればいかなるものであってもよく何ら制限されるものではないが、例えば、ベルトや紐（布製や樹脂製等）を例示することができる。
【００１３】
前記座面形成部に対して固定される第２の背もたれを、さらに備えてなるもの（以下、「背もたれ付属本補助具」という。）であってもよい。
こうすることで第２の背もたれが、本補助具を用いる子供の背面を支えるので該子供の使用を快適にすると共に、該子供の姿勢を効果的に保持することができる。
【００１４】
背もたれ付属本補助具の場合、前記固定手段が、前記第２の背もたれに取り付けられるものであってもよい。
こうすることで固定手段が座面形成部に取り付けられる場合に比して、座面形成部の前記第１の座面に接する部分（該部分と前記第１の座面との間の摩擦力が本補助具を大人用の椅子に固定するのに寄与する。）と固定手段との間の距離が大きくなるので、本補助具を大人用の椅子に一層安定して固定することができる（該部分と固定手段との間に回転モーメントが加わった際に、該距離が大きい方が本補助具が不安定になりにくい。）。
【００１５】
前記第２の座面に腰掛けた子供が、前記第２の座面から前方に脱落しないように前記座面形成部に対して該子供を固定する前方固定手段を、さらに備えてなるものであってもよい。
こうすることで前方固定手段が、子供が前記第２の座面から前方に脱落しないように座面形成部に対して該子供を固定するので（直接又は間接のいずれであってもよい）、本補助具の使用を安全ならしめる。
なお、ここにいう「前方」とは、第２の座面に腰掛けた子供から見て前方をいう。
また、前方固定手段は、第２の座面から子供が前方に脱落しないように座面形成部に対して該子供を固定するものであればいかなるものであってもよく何ら限定されるものではないが、前記第２の座面に腰掛けた子供の腹部又は胸部に（前方から）当接するものであってもよい。こうすることで確実に子供が前方に脱落しないようにすることができる。
【００１６】
【発明の実施の形態】
以下、本発明の実施の形態を図面を参照して説明する。しかしながら、これらによって本発明は何ら制限されるものではない。
【００１７】
図１は、一実施形態の本発明の子供用着席補助具（本補助具）１１の斜視図であり、図２は本補助具１１の右側面図（図１中、矢印Ａ方向から見たところを示している。）であり、図３は本補助具１１の背面図（図２中、矢印Ｂ方向から見たところを示している。）である。図１乃至図３を参照して、本補助具１１について説明する。
本補助具１１は、大まかにいうと、板状部材によって略直方体の箱体形状に形成された座面形成部分２１と、座面形成部分２１が有する６面（６の表面）のうち互いに略平行な２面に沿って取り付けられた側方移動制限板４１、４３と、座面形成部分２１が有する１面（側方移動制限板４１、４３が取り付けられた該２面とは異なる背面側に位置する面）に取り付けられた背もたれ板３１と、背もたれ板３１に取り付けられた固定ベルト５１と、側方移動制限板４１に取り付けられた一方側前方ベルト６１と、側方移動制限板４３に取り付けられた他方側前方ベルト６３と、を備えてなる。
なお、図１乃至図３において、「上」を矢印Ｃにより、「下」を矢印Ｄにより、「右」を矢印Ｅにより、「左」を矢印Ｆにより、「前」を矢印Ｇにより、「後」を矢印Ｈにより、それぞれ示した（前述したように、それぞれ第２の座面たる座面形成部分２１の上面２３に腰掛けた子供３０１から見て、「上」、「下」、「右」、「左」、「前」及び「後」をいう。）。
【００１８】
座面形成部分２１は、板状の木材によって略直方体の箱体形状に形成されており、その下面が大人用の椅子（図示せず）が有する第１の座面（図示せず）に面するように第１の座面（図示せず）に載置される。また、座面形成部分２１の上面２３は、子供が着席する第２の座面を構成する。
そして、座面形成部分２１には、右方向に張り出す右張り出し板部分２５ａと、左方向に張り出す左張り出し板部分２５ｂと、が取り付けられている。右張り出し板部分２５ａの下面と、左張り出し板部分２５ｂの下面と、座面形成部分２１の下面と、は一平面に略属すようにそれぞれが配設されている。
さらに、右張り出し板部分２５ａの下面と、左張り出し板部分２５ｂの下面と、には、柔軟なゴムによって板状に形成された滑り止めゴム２７ａ、２７ｂが貼着されている。ここでは右張り出し板部分２５ａと滑り止めゴム２７ａとによって右方向への張り出し部分２６ａが形成され、左張り出し板部分２５ｂと滑り止めゴム２７ｂとによって左方向への張り出し部分２６ｂが形成されている。なお、ここではそうしていないが、滑り止めゴム２７ａの下面と、滑り止めゴム２７ｂの下面と、座面形成部分２１の下面と、が一平面に略属すようにされてもよい。また、滑り止めゴムは、座面形成部分２１の下面のみ、又は座面形成部分２１の下面と張り出し板部分２５ａ、２５ｂの下面との両面に貼着されるようにしてもよい。
【００１９】
側方移動制限板４１、４３はいずれも、長方形が有する１の角部が丸められた形状を主表面が略有する板状の木材によって形成されており、座面形成部分２１の上面２３に本補助具１１を使用すると想定される子供（図示せず）が腰掛けた際、側方移動制限板４１、４３の上縁４１ａ、４３ａに該子供の肘部分が載置されることで支持可能に形成されている（即ち、側方移動制限板４１、４３の上縁４１ａ、４３ａは肘掛けの役割を果たすことができるようになっている。）。
そして、座面形成部分２１の上面２３に腰掛けた子供が、右方向（図中、矢印Ｅ方向）に移動すると該子供の身体（例えば、胴体や腕）に側方移動制限板４１が当接することでそれ以上右方向に該子供が移動することを制限すると共に、該子供が、左方向（図中、矢印Ｆ方向）に移動すると該子供の身体（例えば、胴体や腕）に側方移動制限板４３が当接することでそれ以上左方向に該子供が移動することを制限する。
【００２０】
背もたれ板３１は、互いに隣り合う２の角部がとられた長方形形状を主表面が略有する板状の木材によって形成されており、座面形成部分２１と側方移動制限板４１、４３とに取り付けられている（側方移動制限板４１、４３に背もたれ板３１が取り付けられることで、背もたれ板３１は、側方移動制限板４１、４３が左右方向に広がらないように補強する作用も有する。）。
そして、背もたれ板３１は、座面形成部分２１の上面２３に腰掛けた子供の背中に当接することで該背中を支持する第２の背もたれを構成する。
【００２１】
固定ベルト５１は、厚手の布によって形成されており、側方移動制限板４１、４３に形成された切り欠き部４１ｃ、４３ｃと、背もたれ板３１の前面と、によって形成されたベルト穴（具体的には、側方移動制限板４１の切り欠き部４１ｃと背もたれ板３１の前面とによって形成される一方のベルト穴と、側方移動制限板４３の切り欠き部４３ｃと背もたれ板３１の前面とによって形成される他方のベルト穴）に嵌入されることにより背もたれ板３１に取り付けられている。
固定ベルト５１の一端側にはバックルの一方側であるバックル一方側５３ａ（雌側）と、固定ベルト５１の他端側には該バックルの他端側であるバックル他方側５３ｂ（雄側）と、が取り付けられており、バックル一方側５３ａとバックル他方側５３ｂとは着脱自在になっている（バックル一方側５３ａにバックル他方側５３ｂを嵌入し両者を互いに固定することと、互いに固定された該両者を取り外すこと、を自由に行うことができる。）。なお、固定ベルト５１の長手方向に沿ったバックル他方側５３ｂの位置は自由に調節することができるようになっている。
【００２２】
一方側前方ベルト６１は、一端が側方移動制限板４１に取り付けられると共に、他端にはバックルの一方側であるバックル一方側６５ａ（雄側）が取り付けられている。同様に、他方側前方ベルト６３は、一端が側方移動制限板４３に取り付けられると共に、他端にはバックルの他方側であるバックル他方側６５ｂ（雌側）が取り付けられている。バックル一方側６５ａとバックル他方側６５ｂとは着脱自在になっている（バックル一方側６５ａをバックル他方側６５ｂに嵌入し両者を互いに固定することと、互いに固定された該両者を取り外すこと、を自由に行うことができる。）。なお、一方側前方ベルト６１の長手方向に沿ったバックル一方側６５ａの位置は自由に調節することができるようになっている。
【００２３】
図４は、本補助具１１の使用方法を説明する側面図（本補助具１１については、図２と同様の位置から見たところを示している。）である。図４を参照して、本補助具１１の使用方法を簡単に説明する。ここでは床面１０１に配設された大人用の椅子２０１に本補助具１１を取り付けて使用する場合について説明する（なお、図４においては、理解を容易にするため本補助具１１以外のものは点線にて示している。）。
まず、本補助具１１を、大人用の椅子２０１が有する第１の座面２０３に載置する。具体的には、座面形成部分２１の下面が大人用の椅子２０１が有する第１の座面２０３に面するように本補助具１１は第１の座面２０３に載置される。
次いで、固定ベルト５１を、大人用の椅子２０１が有する第１の背もたれ２０５に周回させ、バックル一方側５３ａにバックル他方側５３ｂを嵌入し両者を互いに固定する。なお、このとき第１の背もたれ２０５の大きさ（周りの長さ）にあわせて、固定ベルト５１の長手方向に沿ったバックル他方側５３ｂの位置を調節し、本補助具１１が大人用の椅子２０１に確実に固定されるようにする（即ち、第１の背もたれ２０５の大きさ（周りの長さ）が様々な大人用の椅子２０１に本補助具１１は自由に取り付けられることができる。）。
そして、子供３０１を、図４に示したように、座面形成部分２１の上面２３（第２の座面）に着席させる。
最後に、バックル一方側６５ａをバックル他方側６５ｂに嵌入し両者を互いに固定する（図４中には、これらバックル一方側６５ａ、バックル他方側６５ｂ、一方側前方ベルト６１及び他方側前方ベルト６３はあらわれない。）。なお、このとき一方側前方ベルト６１の長手方向に沿ったバックル一方側６５ａの位置を、子供３０１の胴回り等にあわせて調節してもよい。
【００２４】
図４において図示したように、座面形成部分２１の上面２３（第２の座面）の高さは、第１の座面２０３よりも高い位置にあり、本補助具１１を用いる想定される子供３０１が、本補助具１１を用いて大人用の椅子２０１に着席した際に子供３０１の上半身（例えば、頭部、腕、手等）が所望の高さになるように定められている。具体的には、ここではテーブル４０１の近傍に大人用の椅子２０１が配置されており、子供３０１が、本補助具１１を用いて大人用の椅子２０１に着席した際に、子供３０１の頭部の下端（即ち、顎の下端）３０３がテーブル４０１の上面４０３よりも上になるように、座面形成部分２１の上面２３（第２の座面）の高さが定められていると共に、さらにここでは子供３０１の肩３０５がテーブル４０１の上面４０３よりも上になるように該高さが定められている。なお、子供３０１は、テーブル４０１の上面４０３に手で触れることができるような該高さとされている。また、ここでは大人用の椅子２０１に大人（標準的な体格を有する者）が着席した際の該大人の頭と、本補助具１１を用いて大人用の椅子２０１に着席した子供３０１の頭と、がほぼ同じ高さ（両者の目の高さの差が、好ましくは略１５ｃｍ以内、より好ましくは１０ｃｍ以内、最も好ましくは５ｃｍ以内）になるように座面形成部分２１の上面２３（第２の座面）の高さが定められている。
また、具体的な数字にて説明すれば、座面形成部分２１の上面２３（第２の座面）の高さは、第１の座面２０３の高さよりも約９ｃｍ高くされている。
なお、第２の座面たる上面２３を柔軟な材料によって形成してよいことは言うまでもない。
【００２５】
以上説明したように、本補助具１１は、第１の座面２０３を有する大人用の椅子２０１に取り付けられる子供用着席補助具であって、第１の座面２０３に載置され、所定の高さよりも高い位置に第２の座面たる上面２３を有する座面形成部（ここでは座面形成部分２１と右張り出し板部分２５ａと左張り出し板部分２５ｂと滑り止めゴム２７ａ、２７ｂとによって座面形成部が構成されている。）と、座面形成部を大人用の椅子２０１に対して着脱自在に固定する固定手段（固定ベルト５１とバックル一方側５３ａとバックル他方側５３ｂとによって固定手段が構成されている。）と、を備えてなる、子供用着席補助具である。
【００２６】
そして、第２の座面たる上面２３に腰掛けた子供３０１が右方向（図中、矢印Ｅ方向）又は左方向（図中、矢印Ｆ方向）の少なくとも一方向に所定量以上移動することを子供３０１に当接して防止する側方移動制限手段たる側方移動制限板４１、４３（ここでは側方移動制限板４１、４３との両方によって、右方向と左方向との両方向に所定量以上移動することを子供３０１に当接して防止する。）を、本補助具１１は備えている。
また、座面形成部（座面形成部分２１と右張り出し板部分２５ａと左張り出し板部分２５ｂと滑り止めゴム２７ａ、２７ｂとにより構成されている。）の第１の座面２０３に接する少なくとも一部に、滑り止めたる滑り止めゴム２７ａ、２７ｂが設けられている。
【００２７】
また、座面形成部（座面形成部分２１と右張り出し板部分２５ａと左張り出し板部分２５ｂと滑り止めゴム２７ａ、２７ｂとにより構成されている。）が第１の座面２０３に載置された際、座面形成部が、右方向又は左方向の少なくとも一方向に張り出し第１の座面２０３に接する張り出し部分（右張り出し板部分２５ａと滑り止めゴム２７ａとによって右方向への張り出し部分２６ａが形成され、左張り出し板部分２５ｂと滑り止めゴム２７ｂとによって左方向への張り出し部分２６ｂが形成されている。）を有する。
そして、大人用の椅子２０１が第１の背もたれ２０５を有しており、固定手段（固定ベルト５１とバックル一方側５３ａとバックル他方側５３ｂとによって構成されている。）が第１の背もたれ２０５に周回されることで、座面形成部（座面形成部分２１と右張り出し板部分２５ａと左張り出し板部分２５ｂと滑り止めゴム２７ａ、２７ｂとにより構成されている。）を第１の背もたれ２０５に対して固定する。
【００２８】
また、本補助具１１は、座面形成部（座面形成部分２１と右張り出し板部分２５ａと左張り出し板部分２５ｂと滑り止めゴム２７ａ、２７ｂとにより構成されている。）に対して固定される第２の背もたれ（背もたれ板３１により構成される。）を、さらに備えている。
そして、固定手段（固定ベルト５１とバックル一方側５３ａとバックル他方側５３ｂとによって構成されている。）が、第２の背もたれ（背もたれ板３１により構成される。）に取り付けらている。
さらに、第２の座面たる上面２３に腰掛けた子供３０１が、第２の座面たる上面２３から前方（図中、矢印Ｇ方向）に脱落しないように座面形成部（座面形成部分２１と右張り出し板部分２５ａと左張り出し板部分２５ｂと滑り止めゴム２７ａ、２７ｂとにより構成されている。）に対して子供３０１を固定する前方固定手段（バックル一方側６５ａ、バックル他方側６５ｂ、一方側前方ベルト６１及び他方側前方ベルト６３によって前方固定手段は構成されている。）を、さらに備えている。そして、ここでは前方固定手段（バックル一方側６５ａ、バックル他方側６５ｂ、一方側前方ベルト６１及び他方側前方ベルト６３によって構成されている。）が、第２の座面たる上面２３に腰掛けた子供３０１の腹部又は胸部に当接する。
【００２９】
このような本補助具１１を用いれば、子供３０１が第２の座面たる座面形成部分２１の上面２３に座ることで、子供３０１の上半身（例えば、頭部、腕、手等）の位置が低くなりすぎることなく大人用の椅子２０１に子供３０１を着席させることができる。そして、固定手段（固定ベルト５１とバックル一方側５３ａとバックル他方側５３ｂとによって構成されている。）は、座面形成部（座面形成部分２１と右張り出し板部分２５ａと左張り出し板部分２５ｂと滑り止めゴム２７ａ、２７ｂとにより構成されている。）を大人用の椅子２０１に対して着脱自在に固定するので、本補助具１１を、大人用の椅子２０１に容易に着脱することができる。即ち、本補助具１１を大人用の椅子２０１に取り付けることで、問題なく子供３０１を大人用の椅子２０１に着席させることができるので、子供用の椅子を用いる必要がない。
また、本補助具１１の形状や寸法を所定のものにすれば、大人用の椅子２０１に取り付けられたままの本補助具１１を、大人用の椅子２０１が隣接するテーブル４０１の下側に収納することもでき、かかる点からは本補助具１１が取り付けられた大人用の椅子２０１を、本補助具１１が取り付けられていない大人用の椅子２０１と同様にテーブル４０１の下に収容（第１の背もたれ２０５の部分を除き）することもできる。
【図面の簡単な説明】
【図１】一実施形態の本補助具の斜視図である。
【図２】本補助具の右側面図である。
【図３】本補助具の背面図である。
【図４】本補助具の使用方法を説明する側面図である。
【符号の説明】
１１            本補助具
２１            座面形成部分
２３            上面
２５ａ          右張り出し板部分
２５ｂ          左張り出し板部分
２６ａ          右方向への張り出し部分
２６ｂ          左方向への張り出し部分
２７ａ、２７ｂ  滑り止めゴム
３１            背もたれ板
４１、４３      側方移動制限板
４１ａ、４３ａ  上縁
４１ｃ、４３ｃ  切り欠き部
５１            固定ベルト
５３ａ          バックル一方側
５３ｂ          バックル他方側
６１            一方側前方ベルト
６３            他方側前方ベルト
６５ａ          バックル一方側
６５ｂ          バックル他方側
１０１            床面
２０１            大人用の椅子
２０３            第１の座面
２０５            第１の背もたれ
３０１            子供
３０３            頭部の下端（顎の下端）
３０５            肩
４０１            テーブル
４０３            上面
【図１】
2004306719.tif 000003
【図２】
2004306719.tif 000004
【図３】
2004306719.tif 000005
【図４】
2004306719.tif 000006